(57)【要約】【課題】  コストを上げずに高い静粛性を保つことができる外付けストレージデバイスおよびストレージデバイスの収納ケースを提供する。【解決手段】  コンピュータ４０の外部に設けられ、データの記憶用メディア２１を駆動するモータ２２と、冷却用ファン３８とを具備する外付けストレージデバイス２０において、モータ２２を駆動させている間、冷却用ファン３８を駆動させるように制御する冷却用ファン制御手段３０を具備する。【選択図】        図１
2007041998.tif 000002
【特許請求の範囲】
【請求項１】
コンピュータの外部に設けられ、データの記憶用メディアを駆動するモータと、冷却用ファンとを具備する外付けストレージデバイスにおいて、
前記モータを駆動させている間、前記冷却用ファンを駆動させるように制御する冷却用ファン制御手段を具備することを特徴とする外付けストレージデバイス。
【請求項２】
前記冷却用ファン制御手段は、
コンピュータから送信されてくるコマンドを解析し、該コマンドが前記モータを駆動させるものである場合には、前記冷却用ファンを駆動させるように制御することを特徴とする請求項１記載の外付けストレージデバイス。
【請求項３】
前記冷却用ファン制御手段は、
前記モータを駆動させるコマンドを受け付けてから所定時間経過するまで冷却用ファンを駆動し、冷却用ファンの駆動中にモータを駆動させるためのコマンドが再度送信されてきた場合には、該再度送信されてきたコマンドを受け付けてから、あらためて前記所定時間の計測を開始して所定時間経過するまで冷却用ファンを駆動することを特徴とする請求項２記載の外付けストレージデバイス。
【請求項４】
前記冷却用ファン制御手段は、
前記コンピュータから送信されてくるコマンドが前記メディアにデータを記録するためのライトコマンドである場合には、前記コンピュータから送信されてくるコマンドが前記メディアからデータを読み出すリードコマンドである場合よりも前記冷却用ファンの回転数を上げて駆動するように制御することを特徴とする請求項２または請求項３記載の外付けストレージデバイス。
【請求項５】
前記冷却用ファン制御手段は、コンピュータの外部接続用インターフェースとコンピュータの内蔵用インターフェースとを変換する変換手段であることを特徴とする請求項１〜請求項４のうちのいずれか1項記載の外付けストレージデバイス。
【請求項６】
コンピュータに内蔵される内蔵型ストレージデバイスをコンピュータの外部に設置するために、該内蔵型ストレージデバイスを収納するストレージデバイス収納ケースにおいて、
冷却用ファンと、
内蔵型ストレージデバイス内のデータの記憶用メディアを駆動するモータが駆動している間、前記冷却用ファンを駆動させるように制御する冷却用ファン制御手段とを具備することを特徴とするストレージデバイス収納ケース。
【請求項７】
前記冷却用ファン制御手段は、
コンピュータから送信されてくるコマンドを解析し、該コマンドが前記モータを駆動させるものである場合には、前記冷却用ファンを駆動させるように制御することを特徴とする請求項６記載のストレージデバイス収納ケース。
【請求項８】
前記冷却用ファン制御手段は、
前記モータを駆動させるコマンドを受け付けてから所定時間経過するまで冷却用ファンを駆動し、冷却用ファンの駆動中にモータを駆動させるためのコマンドが再度送信されてきた場合には、該再度送信されてきたコマンドを受け付けてから、あらためて前記所定時間の計測を開始して所定時間経過するまで冷却用ファンを駆動することを特徴とする請求項７記載のストレージデバイス収納ケース。
【請求項９】
前記冷却用ファン制御手段は、
前記コンピュータから送信されてくるコマンドが前記メディアにデータを記録するためのライトコマンドである場合には、前記コンピュータから送信されてくるコマンドが前記メディアからデータを読み出すリードコマンドである場合よりも前記冷却用ファンの回転数を上げて駆動するように制御することを特徴とする請求項７または請求項８記載のストレージデバイス収納ケース。
【請求項１０】
前記冷却用ファン制御手段は、コンピュータの外部接続用インターフェースとコンピュータの内蔵用インターフェースとを変換する変換手段であることを特徴とする請求項７〜請求項９のうちのいずれか1項記載のストレージデバイス収納ケース。
【請求項１１】
請求項６〜請求項１０に記載のストレージデバイス収納ケースに、コンピュータに内蔵される内蔵型ストレージデバイスを収納して成る外付けストレージデバイス。
【発明の詳細な説明】
【技術分野】
【０００１】
本発明は、コンピュータの外部機器としてコンピュータに接続されて用いられる外付けストレージデバイス、内蔵型ストレージデバイスを収納して外付けストレージデバイスとして使用するためのストレージデバイス収納ケース、およびストレージデバイス収納ケースに内蔵型ストレージデバイスを収納して成る外付けストレージデバイスに関する。
【背景技術】
【０００２】
コンピュータにおけるデータやプログラムを記憶する装置として、MO、CD、ＤＶＤ、磁気ディスクなどのメディアにデータを記憶させるストレージデバイスがある。
ストレージデバイスは、コンピュータに内蔵されてコンピュータと一体となる内蔵型、または様々なコンピュータと接続可能となるように、コンピュータの外部に接続される外付型の２つの形態がある。
【０００３】
ストレージデバイスは、データを記録するメディアを回転駆動するためのモータを有している。モータの駆動は、コンピュータから送信されてくるコマンドによって制御される。例えば、ユーザがコンピュータを操作してデータをメディアに記録するように指示した場合には、コンピュータがストレージデバイスに対してライトコマンドを送信する。また、ユーザがコンピュータを操作してメディアからデータを読み出すように指示した場合には、コンピュータがストレージデバイスに対してリードコマンドを送信する。
ストレージデバイスは、ライトコマンドやリードコマンドを受信した場合には、メディアを回転させるモータを駆動させ、メディアにデータを記録したりデータを読み出したりする。
【０００４】
なお、コンピュータの内部に装着される内蔵型のストレージデバイスは、コンピュータ内部に設けられている冷却用ファンによってコンピュータ内部とともに冷却される。このため、内蔵型のストレージデバイスは、ストレージデバイス自身に冷却用ファンを有していなくともよい。
しかし、外付けストレージデバイスは、内蔵型とは異なり、コンピュータ内の冷却用ファンと兼用することができないので、独自に冷却用ファンを備えることが必要である（例えば、特許文献１参照）。
【０００５】
なお、内蔵型として用いられるストレージデバイスを収納ケースに収納することにより、外付けストレージデバイスとして使用できる（例えば、特許文献２参照）。
かかる場合、上述したように内蔵型のストレージデバイスには冷却用ファンを設けていないため、収納ケースに冷却用ファンを備える必要がある。
【０００６】
上述したようなコンピュータ内の冷却用ファンおよび収納ケースに設けた冷却用ファンは、温度センサに接続され、温度センサにより検出された温度が所定温度以上になると動作するように制御されることが一般的であった。
【０００７】
【特許文献１】特開２００５−９２９３０号公報
【特許文献２】特開２００１−２３６７７４号公報
【発明の開示】
【発明が解決しようとする課題】
【０００８】
近年、コンピュータの静粛性が望まれており、コンピュータからの騒音としては主として冷却用ファンからの騒音が原因となっている場合も多い。
したがって、外付けストレージデバイスについても静粛性を高めるために冷却用ファンの音を減少させる要請が強い。しかし、静粛性を優先させるために冷却用ファンを設けないようにすることは性能を維持するためには困難であるし、少しでも静粛性の高い冷却用ファンを搭載するようにすればコストが増大してしまうという課題があった。
【０００９】
このような課題は、内蔵型ストレージデバイスを収納ケースに収納して外付けストレージデバイスとして使用とした場合においても同様に生じる。
すなわち、内蔵型ストレージデバイスには冷却用ファンが設けられていないので、収納ケースに冷却用ファンを設けることが好ましいが、コストを上げずに冷却用ファンから生じる騒音を抑えて静粛性を高める必要があるという課題があった。
【００１０】
そこで、本発明は上記課題を解決すべくなされ、その目的とするところは、コストを上げずに高い静粛性を保つことができる外付けストレージデバイスおよびストレージデバイスの収納ケースを提供することにある。
【課題を解決するための手段】
【００１１】
本発明にかかる外付けストレージデバイスによれば、コンピュータの外部に設けられ、データの記憶用メディアを駆動するモータと、冷却用ファンとを具備する外付けストレージデバイスにおいて、前記モータを駆動させている間、前記冷却用ファンを駆動させるように制御する冷却用ファン制御手段を具備することを特徴としている。
この構成を採用することによる作用は以下の通りである。
すなわち、外付けストレージデバイスにおいて、モータが駆動している間だけ冷却用ファンを駆動させるようにすれば、モータの駆動音よりも冷却用ファンの駆動音の方が小さいので、ユーザにとっては冷却用ファンの音を耳障りに感じずに済み、モータ非駆動時には冷却用ファンも駆動しないので、静粛性を高めることができる。また、モータが駆動しているときが、熱の発生が最も多くなると考えられるので、モータ駆動に合わせて冷却用ファンを回転させることで静粛性を高めると共に冷却効率も上げることができる。これに加え、冷却用ファンの駆動時間をモータの駆動時間よりも長くなるように制御することによって、外付けストレージデバイス内部の温度上昇率が一番高い、メディア停止直後も冷却用ファンを回転させておくことができ、冷却効率を上げることができる。
【００１２】
本発明にかかるストレージデバイス収納ケースによれば、コンピュータに内蔵される内蔵型ストレージデバイスをコンピュータの外部に設置するために、該内蔵型ストレージデバイスを収納するストレージデバイス収納ケースにおいて、冷却用ファンと、内蔵型ストレージデバイス内のデータの記憶用メディアを駆動するモータが駆動している間、前記冷却用ファンを駆動させるように制御する冷却用ファン制御手段とを具備することを特徴としている。
この構成を採用することによって、ストレージデバイス収納ケースにおいて、モータが駆動している間だけ冷却用ファンを駆動させるので、モータの駆動音よりも冷却用ファンの駆動音の方が小さいためユーザにとっては冷却用ファンの音を耳障りに感じずに済み、モータ非駆動時には冷却用ファンも駆動しないので、静粛性を高めることができる。また、モータが駆動しているときが、熱の発生が最も多くなると考えられるので、モータ駆動に合わせて冷却用ファンを回転させることで静粛性を高めると共に冷却効率も上げることができる。
【００１３】
また、外付けストレージデバイスおよびストレージデバイス収納ケースにおいて、前記冷却用ファン制御手段は、コンピュータから送信されてくるコマンドを解析し、該コマンドが前記モータを駆動させるものである場合には、前記冷却用ファンを駆動させるように制御することを特徴としてもよい。
このように、コマンドを解析してモータの駆動の有無を判断するので、モータ駆動の判断が正確となり、モータ駆動と冷却用ファンの駆動とを確実に一致させることができる。
【００１４】
さらに、外付けストレージデバイスおよびストレージデバイス収納ケースにおいて、前記冷却用ファン制御手段は、前記モータを駆動させるコマンドを受け付けてから所定時間経過するまで冷却用ファンを駆動し、冷却用ファンの駆動中にモータを駆動させるためのコマンドが再度送信されてきた場合には、該再度送信されてきたコマンドを受け付けてから、あらためて前記所定時間の計測を開始して所定時間経過するまで冷却用ファンを駆動することを特徴としてもよい。
すなわち、通常、モータを駆動させるコマンドは、モータを駆動させる間は所定時間おきにコンピュータから複数回送信されてくるが、次のコマンドが来る前に冷却用ファンが停止してしまうと冷却効率が下がる。したがって、コマンドに基づいて冷却用ファンを駆動させる場合には、コマンドを受け付けてから少なくとも次のコマンドが到達するまでの間は冷却用ファンは駆動している必要がある。このため、コマンドを受け付けてから冷却用ファンを駆動させておく所定時間は、モータを連続して駆動する場合にコマンドが送信されてくる間隔よりも長くなるように予め設定しておき、冷却用ファンの駆動中に再度コマンドを受け付けた場合には受け付けた時点からあらためて冷却用ファンを駆動させておく所定時間をカウントするようにすれば、複数回コマンドが送信されて連続してモータを駆動させる場合であっても冷却用ファンが途中で駆動停止することなく、冷却用ファンを連続駆動させることができる。
【００１５】
また、外付けストレージデバイスおよびストレージデバイス収納ケースにおいて、前記制御手段は、前記コンピュータから送信されてくるコマンドが前記メディアにデータを記録するためのライトコマンドである場合には、前記コンピュータから送信されてくるコマンドが前記メディアからデータを読み出すリードコマンドである場合よりも前記冷却用ファンの回転数を上げて駆動するように制御することを特徴としてもよい。
この構成によれば、例えばストレージデバイスが光ディスク装置である場合、データ記録時にメディアに照射するレーザ光強度は、データ読み出し時のレーザ光強度よりも強いためレーザドライバが制御する電流量も増加し発熱量が増えることが予想されるが、冷却用ファンの回転数を上げることで冷却効果を高めることができる。
【００１６】
なお、外付けストレージデバイスおよびストレージデバイス収納ケースにおいて、前記冷却用ファン制御手段は、コンピュータの外部接続用インターフェースとコンピュータの内蔵用インターフェースとを変換する変換手段であることを特徴としてもよい。
この構成によれば、新たに制御手段を設けなくとも冷却用ファンの制御が可能となり、コスト上昇を防止できる。
【発明の効果】
【００１７】
本発明の外付けストレージデバイスおよびストレージデバイス収納ケースによれば、静粛性の高いファンを用いなくとも静粛性を高めることができ、コスト高を防止することができる。
【発明を実施するための最良の形態】
【００１８】
（実施例１）
以下に、外付けストレージデバイスの一例として、ＣＤおよびＤＶＤをドライブする光ディスク装置について、添付図面に基づいて説明する。
光ディスク装置２０は、ＣＤまたはＤＶＤである光ディスク２１がトレイ（図示せず）に載置され、光ディスク２１を回転駆動するスピンドルモータ２２と、光ディスク２１へレーザ光を照射して反射光を受光する光ピックアップ２４とを具備している。
【００１９】
また、光ディスク装置２０は、スピンドルモータ２２の回転駆動や後述するＣＰＵ３２等から熱が発生する。この熱を冷却するため、冷却用ファン３８が設けられている。冷却用ファン３８は、電源回路３９から電源電圧を供給されて駆動する。
冷却用ファン３８は、後述するように変換ＩＣ３０によってその動作が制御される。
【００２０】
光ディスク装置２０には、光ピックアップ２４で検出した光ディスク２１からの反射光強度に関する信号をデコードして、読み出したデータとして再生するデコーダ２６が設けられている。
また、光ピックアップ２４で検出した反射光強度に関する信号に基づいて、光ピックアップ２４のトラッキングサーボやフォーカスサーボ、およびスピンドルモータ２２の回転をサーボ制御するサーボ制御回路２８が設けられている。
【００２１】
光ディスク装置２０は、所定のインターフェースによってコンピュータ４０の外部に接続されている。コンピュータ４０と光ディスク装置２０とを接続する具体的なインターフェースとして、ＵＳＢまたはＩＥＥＥ１３９４などの規格があげられる。
【００２２】
なお、ＵＳＢおよびＩＥＥＥ１３９４はシリアルインターフェースであり、本来マウスやモデム等のコンピュータの周辺機器を接続するために開発されてきた経緯がある。
また、ハードディスクや光ディスク装置等のストレージデバイスとコンピュータとの接続は、パラレルインターフェースであるＡＴＡＰＩまたはＡＴＡなどが採用されている。
【００２３】
具体的には光ディスク装置２０内でのデータはＡＴＡＰＩに基づいた信号となっている。
したがって、光ディスク装置２０には、ＵＳＢ信号をＡＴＡＰＩ信号に変換する変換手段である、１チップの変換ＩＣ３０が設けられている。変換ＩＣ３０は、コンピュータから送信されてきたＵＳＢ信号をＡＴＡＰＩ信号に変換して光ディスク装置２０内部で利用できるようにし、光ディスク装置２０内のＡＴＡＰＩ信号をコンピュータへ送信する際にはＵＳＢ信号に変換する。
【００２４】
したがって、光ディスク２１から読み出されたデータは、デコーダ２６でデコード処理された後、変換ＩＣ３０でＵＳＢデータに変換されコンピュータ４０へ出力される。
【００２５】
コンピュータ４０は、光ディスク装置２０の動作を制御するための指示信号であるコマンドをＵＳＢ信号で出力する。
コマンドを受信した変換ＩＣ３０は、受信したコマンドをＡＴＡＰＩ信号に変換してＣＰＵ３２に送信する。ＣＰＵ３２は、光ディスク装置２０の動作全体を統括制御する機能を有しており、光ディスク装置２０内の各構成部材に対して制御信号を出力することにより、各構成部材を制御可能である。
【００２６】
光ディスク２１へデータを記録する場合、記録するデータはコンピュータ４０から光ディスク装置２０へ送信される。コンピュータ４０から送信されるデータはＵＳＢ信号であるので、変換ＩＣ３０が受信したデータをＡＴＡＰＩ信号に変換し、エンコーダ３４へ出力する。
【００２７】
エンコーダ３４は、変換ＩＣ３０から送られてきたデータを光ディスク２１に記録するためのデータに変調する。変調後のデータはレーザドライバ３６へ出力される。レーザドライバ３６は、変調されたデータを記録すべく、光ピックアップ２４内のレーザダイオード（図示せず）の出力を制御する。
【００２８】
以下、冷却用ファン３８の制御について説明する。
冷却用ファン３８は、光ディスク２１を回転させるスピンドルモータ２２が駆動している間駆動するように制御される。冷却用ファン３８の制御は、変換ＩＣ３０が実行する。したがって、特許請求の範囲でいう冷却用ファン制御手段は、本実施例では変換ＩＣ３０が該当する。
本実施例では、変換ＩＣ３０は、冷却用ファン３８の電源回路３９に対して冷却用ファン３８への供給電圧を制御する制御信号を出力することによって、冷却用ファン３８の駆動を制御する。
【００２９】
変換ＩＣ３０は、コンピュータ４０から受信したコマンドを解析し、コマンドがスピンドルモータ２２を駆動することを含む命令である場合には、冷却用ファン３８を駆動するように制御する。
具体的には、リード時およびライト時には光ディスク２１を回転させるので、変換ＩＣ３０はデータを読み出させるリードコマンドおよびデータを記録させるライトコマンドを受け付けた場合に、電源回路３９に対して冷却用ファン３８を駆動させる制御信号を出力する。
【００３０】
冷却用ファンの制御方法のフローチャートを図２に示し、これに基づいて冷却用ファンの制御方法について説明する。
ユーザがコンピュータ４０内にインストールされている光ディスク装置２０の操作用アプリケーションソフトを操作することで、コンピュータ４０から光ディスク装置２０へコマンドが送信される（ステップＳ１００）。
【００３１】
光ディスク装置２０は、コンピュータ４０からのコマンドを受信する。光ディスク装置２０の変換ＩＣ３０は、受け付けたコマンドを光ディスク装置２０内で使用できるＡＴＡＰＩ信号に変換する（ステップＳ１０２）。
また、変換ＩＣ３０は、受け付けたコマンドの内容を解析する。変換ＩＣ３０は、受け付けたコマンドがスピンドルモータ２２を駆動させるものであると判断した場合は、冷却用ファン３８を駆動させるために次のステップＳ１０６へ移行し、受け付けたコマンドがスピンドルモータ２２を回転させるものではないと判断した場合には、冷却用ファン３８を駆動させず、次のコマンドを待つ状態となる（ステップＳ１０４）。ステップＳ１０４において、スピンドルモータ２２を駆動させるコマンドとしては、データを読み出すリードコマンドおよびデータを記録するライトコマンドがある。
【００３２】
変換ＩＣ３０は、受け付けたコマンドがスピンドルモータ２２を駆動させるコマンドであった場合、冷却用ファン３８を駆動させるファン回転開始信号を冷却用ファン３８の電源回路３９へ出力する（ステップＳ１０６）。
電源回路３９は、冷却用ファン３８を駆動するために冷却用ファン３８に電源電圧を供給する。すると、冷却用ファン３８は回転開始し、光ディスク装置２０内を冷却する。
【００３３】
変換ＩＣ３０は、スピンドルモータ２２を駆動させるコマンドを受け付けてから所定時間Ｔ１だけ冷却用ファン３８を回転させるように制御する。
基本的に、冷却用ファン３８は、スピンドルモータ２２が駆動している間は常に駆動するように制御される。すなわち、スピンドルモータが２２が駆動しているにもかかわらず、冷却用ファン３８の回転が停止しているとその分冷却効率が弱まるので、このようなことは避けるためである。
したがって、この所定時間Ｔ１とは、図３に示すように次のコマンドが送信されてくるまでの間隔Ｔｃよりも長い時間となるように、予め設定しておくのおくのである。
【００３４】
変換ＩＣ３０は、スピンドルモータ２２を駆動させるコマンドを受け付けた場合には、受け付けた時点から所定時間Ｔ１だけ冷却用ファン３８が回転するように電源回路３９を制御し、冷却用ファン３８の回転中にスピンドルモータ２２を駆動させるコマンドを新たに受け付けた場合には（ステップＳ１０８）、所定時間Ｔ１の開始時刻をリセットし（ステップＳ１０９）、再度所定時間Ｔ１だけ冷却用ファン３８が回転するようにファン回転開始信号を出力する（ステップＳ１０６）。
【００３５】
冷却用ファン３８の回転中にスピンドルモータ２２を駆動させるコマンドを新たに受け付けなかった場合には（ステップＳ１０８）、所定時間Ｔ１が経過した時点で（ステップＳ１１０）変換ＩＣ３０はファン回転停止信号を出力する（ステップＳ１１２）。
電源回路３９は、変換ＩＣ３０からのファン回転制御信号を受けて、冷却用ファン３８への電源電圧の供給を停止する。
【００３６】
（実施例２）
上述した実施例は、外付けストレージデバイスの内部に冷却用ファンを搭載した構成であった。
しかしながら、外付けストレージデバイスは、内蔵型のストレージデバイスを収納ケース内に収納して構成されることもある。以下、内蔵型のストレージデバイスを収納して外付のストレージデバイスを構成するための収納ケースについての実施例を説明する。
【００３７】
まず、内蔵型のストレージデバイスの構成について説明する。
本実施例の内蔵型のストレージデバイスの構成は、ＣＤまたはＤＶＤの光ディスクをドライブする光ディスク装置４２である。光ディスク装置４２における、光ディスク２１からのデータの読み出しおよびデータの記録に関する基本的な構成要素は実施例１の構成要素と同一であるので、実施例１と同一の符号を付して説明を省略する。
【００３８】
内蔵型の光ディスク装置４２は、コンピュータ４０内部に設置されて使用されることが前提に設計されているので、ＵＳＢまたはＩＥＥＥ１３９４等の周辺機器に対するインターフェースと、ＡＴＡまたはＡＴＡＰＩ等のストレージに対するインターフェースを変換する変換ＩＣは設けられておらず、また冷却用ファンも設けられていない。
すなわち、内蔵型の光ディスク装置４２には、他の装置（コンピュータ）との信号の送受信を行なうインターフェースとしてＡＴＡＰＩ信号を送受信可能なＡＴＡＰＩインターフェース４５が設けられている。
【００３９】
次に収納ケースについて説明する。
収納ケース４６は、内蔵型の光ディスク装置４２の外周壁を多うカバー４７と、内蔵型の光ディスク装置４２のＡＴＡＰＩインターフェース４５に接続可能に設けられてＵＳＢ信号とＡＴＡＰＩ信号とを相互に変換する変換手段である変換ＩＣ４８と、冷却用ファン５０と、冷却用ファン５０に電源電圧を供給する電源回路５２を具備している。
【００４０】
冷却用ファン５０は、光ディスク２１を回転させるスピンドルモータ２２が駆動している間駆動するように制御される。冷却用ファン５０の制御は、変換ＩＣ４８が実行する。したがって、特許請求の範囲でいう冷却用ファン制御手段は、本実施例では変換ＩＣ４８が該当する。
本実施例においても、変換ＩＣ４８は、冷却用ファン５０の電源回路５２に対して冷却用ファン５０への供給電圧を制御する制御信号を出力することによって、冷却用ファン３８の駆動を制御する。
【００４１】
変換ＩＣ４８は、コンピュータ４０から受信したコマンドを解析し、コマンドがスピンドルモータ２２を駆動することを含む命令である場合には、冷却用ファン５０を駆動するように制御する。
具体的には、リード時およびライト時には光ディスク２１を回転させるので、変換ＩＣ４８はデータを読み出させるリードコマンドおよびデータを記録させるライトコマンドを受け付けた場合に、電源回路５２に対して冷却用ファン５０を駆動させる制御信号を出力する。
【００４２】
なお、冷却用ファン５０の具体的な制御方法については、図２のフローチャートで説明した制御方法と同一の方法で実行するので、ここでは説明を省略する。
【００４３】
（実施例３）
上述した各実施例は、冷却用ファン３８、５０の回転のオン−オフは制御するが、回転数の制御までは実行していないものであった。
しかし、変換ＩＣが受信するコマンドの内容により、回転数を変化させるように制御してもよい。
【００４４】
すなわち、データの記録時（ライト時）には、光ピックアップ２４が照射するレーザ光強度がデータの読み出し時（リード時）のレーザ光強度よりも３０〜４０倍程度大きいものとなり、より多くの熱が発生する可能性があるため、ライト時にはリード時よりも冷却用ファンの回転数を増加させて冷却効率を高める。
【００４５】
変換ＩＣ３０，４８は、コンピュータ４０から受信したコマンドがリードコマンドかライトコマンドかを識別し、受け付けたコマンドがライトコマンドである場合には、リードコマンドを受け付けた場合よりも冷却用ファン５０の回転数が増加するように電源回路５２に制御信号を出力する。
【００４６】
すなわち、電源回路３９，５２は、冷却用ファンに供給する電源電圧を複数段階に変更可能に設けられており、変換ＩＣ３０，４８からの制御信号に基づいて冷却用ファン３８，５０の回転数を制御できる。
【００４７】
なお、本発明のストレージデバイスとしては、上述したような光ディスク装置に限定されることはなく、ＭＯドライブ、ＭＤドライブ、ハードディスクドライブ、フロッピーディスクドライブ等種々のストレージデバイスに適用させることができる。
【００４８】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００４９】
【図１】本発明にかかる外付け光ディスク装置のブロック図である。
【図２】冷却用ファンの制御方法を説明するフローチャートである。
【図３】コマンドを受け付けてから冷却用ファンの回転停止までの設定時間について説明する説明図である。
【図４】内蔵型光ディスク装置のブロック図である。
【図５】内蔵型光ディスク装置を収納した収納ケースのブロック図である。
【符号の説明】
【００５０】
２０，４２    光ディスク装置
２１   光ディスク
２２   スピンドルモータ
２４   光ピックアップ
２６   デコーダ
２８   サーボ制御回路
３０，４８    変換ＩＣ
３４   エンコーダ
３６   レーザドライバ
３８，５０    冷却用ファン
３９，５２    電源回路
４０   コンピュータ
４５   ＡＴＡＰＩインターフェース
４６   収納ケース
４７   カバー
Ｔ１   所定時間
Ｔｃ   コマンドの送信間隔
【図１】
2007041998.tif 000003
【図２】
2007041998.tif 000004
【図３】
2007041998.tif 000005
【図４】
2007041998.tif 000006
【図５】
2007041998.tif 000007